(57)【要約】【課題】  本考案は、マグネットを用いて印鑑を固定することを可能にし、また、装飾性を印鑑及び印鑑マットに追加することで、利便性と装飾性を兼ね備えた捺印具を可能にする。【解決手段】  本考案は、まず印鑑にマグネットを装着し、次に、捺印マットの上に装飾面を装着し、さらに、印鑑に装飾シールを装着する。従って、マグネットを利用して、印鑑を捺印マットや、磁性のある金属等を持つ玄関ドアや机、引き出し、柱等に吸着して固定でき、また、捺印マットと印鑑に装飾性を加えたことで、玄関や机の上等に保管する際、外観も美しい捺印具を可能にし、生活利便の向上に役立つ。【選択図】図６
0003127255.tif 000002
【実用新案登録請求の範囲】
【請求項１】
印鑑の側面又は印面と反対側の上面等にマグネットを装着した、捺印具。
【請求項２】
ゴム等適宜な素材で形成した捺印マットの上に、装飾性のある装飾面を装着することで、或いは装飾性のある装飾面を着脱できることで、不使用時は装飾面を上にして置くことができ、使用時は裏返して捺印マットとして使用できる、捺印具。
【請求項３】
内部又は表面に磁性金属等を装着した、マグネットを吸着できる、捺印マット。
【請求項４】
請求項２の装飾面を持った、或いは着脱できる捺印具の内部又は表面に、請求項３の磁性金属等を装着し、マグネットを吸着できる、請求項２、３の捺印具。
【請求項５】
印鑑の側面や印面と反対側の上面等に装着でき、或いは着脱できる、装飾性のある面を表面に持つ、印鑑に装着する装飾用シール。
【考案の詳細な説明】
【技術分野】
【０００１】  本考案は、マグネットを装着した印鑑と、表面に装飾面を持ち、裏面に捺印マットを持った捺印マットと、印鑑の表面を装飾する装飾シールに関する、捺印具である。
【背景技術】
【０００２】  従来の印鑑は円筒形に近く、転がりやすかった。また、従来の捺印マットは、ゴム等で作られたもので、実用性は高かったが、使わない時の装飾性が欠けていた。同様に、印鑑の表面を装飾する場合、簡易に好きな模様等と必要な印を組み合わせることができない欠点があった。
【考案の開示】
【考案が解決しようとする課題】
【０００３】  従来の印鑑は円筒形に近く、玄関や引き出しの中に置いておく際、転がりやすかった。よって、印鑑にマグネットを装着することで、磁性金属等に固定することが可能になる。磁性金属はたとえば、玄関ドアや事務用等の机やその引き出し、捺印マットに装着した磁性金属等に吸着することで、水平面や垂直面等にかかわらず固定できる。また、従来の捺印マットは、ゴム等の素材のままのものが多く、玄関や机の上等に置いておく際、事務的な外観の為、周りの雰囲気を損なう場合があった。よって、表面に装飾面を持ち、裏面に捺印マットを持った捺印マットにすることで、使わない時は装飾面を上に置いておくことで、事務的な外観を隠すことが可能になる。また印鑑も、従来の印鑑は、多種類の名字等と好みの装飾を組み合わせることは、組み合わせの数が多く難しかった。よって、装飾をシールの形状にし、印鑑に貼ることで、簡易に印鑑に装飾することを可能にできる。これらによって、利便性と装飾性を兼ね備えた捺印具を実現し、前述の欠点を解決するものである。
【課題を解決するための手段】
【０００４】  本考案は、まず、印鑑にマグネットを装着する。装着部分は、円筒形に近い形状である印鑑の側面又は印面と反対側に当たる上面等である。次に、捺印マットは、従来のゴム等で成形した捺印マットの上に、装飾性のある面を装着させる。この時、装飾面又は捺印マットの内部又は表面に磁性のある金属等を装着することで、前述のマグネットを装着した印鑑を吸着し、固定することができる。また、印鑑には、装飾性のある表面を持つシールを貼る。シールは、再剥離可能なものにすることで、装飾を付け替えることを可能にできる。よって、マグネットにより、印鑑を転がることなく、磁性金属等に固定でき、装飾シールを印鑑に貼ることで、印鑑に簡易に装飾性を追加し、さらに捺印マットも、使わない時は装飾性のある面を表にして、その上に印鑑を固定できることで、利便性と装飾性を兼ね備えた捺印具を実現でき、前述の欠点を解決するものである。
【考案の効果】
【０００５】  上述の様に、本考案の印鑑、捺印マットに関する捺印具は、玄関や室内、机の上等に印鑑を常備する際、使わない時は、印鑑の表面に装飾シールが装着され、また、捺印マットの表面も装飾面を装着している為、外観が美しく、周りの雰囲気を損なわない。さらに、マグネットを装着した印鑑により、印鑑が捺印マットに固定されるため、印鑑が転がる心配がない。また、マグネットを装着した印鑑は、捺印マットに固定せずに、磁性金属等を持つ玄関ドアや机、引き出し、柱等適宜な場所に吸着させて固定することが可能である。引き出しの中の磁性金属等に固定した場合、引き出しの開閉の際、印鑑が転がる音がしない。さらに、印鑑を使う際は、容易に印鑑を取り外して使用でき、捺印マットも裏を返して、ゴム等で形成された捺印マットの面を上にして、玄関先の認め印も、捺印マットを使用して容易に捺印することができる。その上、印鑑の装飾シールは、時と場合によって取り替えることができる。さらに、捺印マットの装飾面も取り替え可能にすることが可能である。よって、利便性が高く、装飾性を兼ね備えている為、生活利便の向上等に役立つ。
【考案を実施するための最良の形態】
【０００６】  本考案は、まず、円筒形に近い形状である印鑑の側面、又は印面と反対側に当たる上面等にマグネットを装着する。次に、ゴム等適宜素材で捺印マットを形成し、その上に装飾面を装着させる。装飾面は、装飾性のある紙、布、薄い板材、コルク、金属等を装着したり、或いは、落ち葉や押し花、レース、写真等を表面をカバーして装着したり、ゴム等適宜素材で形成した捺印マットの上に直接印刷する等、適宜な形状である。さらに、前述のように形成した装飾面を再剥離シールの形状にすることで、装飾の取り替えが可能になる。又、装飾面又は捺印マットには、磁性のある金属等を装着することで、マグネットを装着した印鑑を吸着し、固定することができる。次に、印鑑の側面等の表面に装着する、装飾性のあるシールを形成する。シールは、装飾を印刷した紙、ビニール、布等の適宜素材によるシールや、又は装飾性のある紙、ビニール、布等適宜素材によるシール、或いは、落ち葉や押し花、レース、写真等を表面をカバーしたシール等、適宜な装飾性をもったシールである。【０００７】  本考案の一実施例は上述の如き構成からなるものであるから、玄関や室内、机の上等に印鑑を置いておく際、装飾性がある為に外観が美しく、また、マグネットを装着している為、印鑑が転がる心配がなく、さらに、印鑑は、マグネットを装着している為、磁性金属を持つ、玄関ドアや机、引き出し等に、吸着させて、固定することができる捺印具を可能にした。
【図面の簡単な説明】
【０００８】
【図１】印鑑、捺印マットに関する捺印具の一例の、マグネットを装着した印鑑の斜視図
【図２】印鑑、捺印マットに関する捺印具の一例の、装飾面を装着した捺印マットの（ａ）上面図、（ｂ）底面図、（ｃ）斜視図
【図３】印鑑、捺印マットに関する捺印具の一例の、装飾面を装着した捺印マットに装着する磁性金属等に関する断面図
【図４】印鑑、捺印マットに関する捺印具の一例の、装飾シール
【図５】印鑑、捺印マットに関する捺印具の一例の、装飾シールを装着した印鑑
【図６】印鑑、捺印マットに関する捺印具の一例の、マグネットを装着した印鑑及び装飾面を装着した捺印マット及び装飾シールを装着した印鑑の保管時の例の斜視図
【符号の説明】
【０００９】  １  マグネット
３  印鑑
５  ゴム等で形成した捺印マット
６  印鑑に装着する装飾シール
７  捺印マットに装着する装飾面
８  磁性のある金属等
【図１】
0003127255.tif 000003
【図２】
0003127255.tif 000004
【図３】
0003127255.tif 000005
【図４】
0003127255.tif 000006
【図５】
0003127255.tif 000007
【図６】
0003127255.tif 000008
【手続補正書】
【提出日】平成18年7月7日(2006.7.7)
【手続補正１】
【補正対象書類名】実用新案登録請求の範囲
【補正対象項目名】請求項４
【補正方法】変更
【補正の内容】
【請求項４】
請求項２の装飾面を持った、或いは着脱できる捺印具の内部又は表面に、請求項３の磁性金属等を装着し、マグネットを吸着できる、請求項２または３記載の捺印具。